(57)【要約】【課題】下筐体に対して上筐体を移動させるスライド式携帯電話機において、上筐体を下筐体から引き出した延伸状態にしなくても指紋認証が行えるようにする。【解決手段】上筐体２と下筐体３とを備え、上筐体２を下筐体３に対してスライドさせると重ね合わせ面が次第に露出するスライド式携帯電話機１において、上筐体２のスライド方向の下端部に、親指を置いて上筐体２をスライド方向に押すための凹部１８を設け、この凹部１８の底面に指紋センサ１２を設けておき、凹部１８に親指を置いて上筐体２をスライドさせる時に、上筐体２が下筐体３に対して最大限にスライドする前に、指紋センサ１２により指紋認証を行うようにした。【選択図】図９
2010246148.tif 000002
【特許請求の範囲】
【請求項１】
上筐体と下筐体とがスライドレールを介して重ね合わされ、前記上筐体と下筐体とをスライドさせると重ね合わせ面が次第に露出する構造のスライド式携帯電話機において、
前記上筐体のスライド方向の下端部に、親指を置いて前記上筐体をスライド方向に押すための凹部が設けられており、
前記凹部の底面に指紋センサが設けられていることを特徴とするスライド式携帯電話機。
【請求項２】
請求項１に記載のスライド式携帯電話機であって、
前記下筐体のスライド時に露出する面には、キーを備えた操作部が設けられており、
前記上筐体の常時露出している面には第１の表示部が、スライド時に露出する面には、第２の表示部が設けられていることを特徴とするスライド式携帯電話機。
【請求項３】
請求項１に記載のスライド式携帯電話機であって、
前記上筐体が前記下筐体に対して最大限にスライドする前に、前記指紋センサにより指紋認証が行われることを特徴とするスライド式携帯電話機。
【発明の詳細な説明】
【技術分野】
【０００１】
本出願はスライド式携帯電話機に関し、特に、使い勝手の良い構造を備えたスライド式携帯電話機に関する。
【背景技術】
【０００２】
近年、携帯電話は一般に広く普及している。初期の頃の携帯電話機は縦に長い板状のものが主流であったが、長さを縮めて携帯性を向上させるため、最近は携帯電話機の筐体を上筐体と下筐体に分けて重ね合わせ、その一辺に設けた回転軸を中心にして開閉する折り畳み式の携帯電話機が主流となっている。
【０００３】
折り畳み式の携帯電話機は、持ち歩く時には折り畳んだ状態とし、電話をかける時は長くして、耳と口に送受話器を近づけ音響特性を得ることが主の目的である。ところが近年、携帯電話が多機能化し、文字や写真を相手の携帯電話機に送るメール機能に加えて、インターネット接続機能、デジタルカメラ機能（特許文献１参照）やテレビ機能等が付いた携帯電話機が普及し始めている。また、指紋認証機能（特許文献１参照）が付いた携帯電話機も出現している。このため、携帯電話機では、折り畳まれた筐体を開いて使う機能に加えて、閉じた状態でも使える機能が増えつつある。
【０００４】
また、携帯電話機の長さを低減させる方式としては、前述の折り畳み式以外にも、上筐体と下筐体に分けて重ね合わせた携帯電話機の筐体の、重ね合わせ面に垂直に回転軸を設け、この回転軸を中心にして上筐体を下筐体に対して１８０度回転させて伸張させる回転式がある。また、上筐体と下筐体に分けて重ね合わせた携帯電話機の筐体の、重ね合わせ面にスライドレールを設けたり、トンネル構造にして、下筐体に対して上筐体をスライドさせるスライド式などの方式がある（特許文献２，３参照）。
【０００５】
このようなスライド式の携帯電話機のうち、上筐体と下筐体とをスライドレールで接続した構造のものは、スライドレールと上下筐体が上下に離れない様に保持する構造と、レール移動方向から上筐体が抜けないようにする構造を備えている（特許文献２参照）。このスライド構造は、携帯電話機をある時は短く、ある時は長くして使う事により、長さに応じた機能を効率良く使用する場合に便利な構造である。
【先行技術文献】
【特許文献】
【０００６】
【特許文献１】特開２００３−１７９６７８（図２の符号１０４,１０５）
【０００７】
【特許文献２】特開２００３−１７９６７８（図３，４とその説明部分）
【０００８】
【特許文献３】特開２００３−３２３３５（図１、２とその説明部分）
【発明の概要】
【発明が解決しようとする課題】
【０００９】
しかしながら、従来のスライド式携帯電話機には、以下のような問題点があった。
（１）上筐体と下筐体が合わさった収縮状態でのカメラ撮影の場合、レンズは下筐体の裏面側にあるので、自分を撮影使用とする場合に自分の姿を見ることができなかった。
（２）指紋センサを備えた従来のスライド式携帯電話機は、指紋センサが伸縮操作と関係ない上筐体の裏面側に設けられており、伸縮動作と指紋認証を個別に行う必要があった。即ち、上筐体を下筐体から引き出した延伸状態でしか指紋センサを使用することができなかった。
（３）従来のスライド式携帯電話機には、スライド面に防滴構造がなく、延伸状態のスライド式携帯電話機は、液体の浸入に弱いという問題点があった。特に、上筐体と下筐体とを接続するためのフレキシブルケーブルを通じて液体が筐体内部に伝わってコネクタに付着すると電気的障害の原因となるという問題点があった。
【００１０】
そこで本出願は、スライド式携帯電話機において、内蔵したカメラによる自分撮りが簡単であり、指紋センサを内蔵するスライド式携帯電話機を延伸状態にしないでも指紋認証を行うことが可能であるスライド式携帯電話機を提供することを目的としている。
【課題を解決するための手段】
【００１１】
前記目的を達成する本出願のスライド式携帯電話機は、上筐体と下筐体とがスライドレールを介して重ね合わされ、上筐体と下筐体とをスライドさせると重ね合わせ面が次第に露出する構造のスライド式携帯電話機において、上筐体のスライド方向の下端部に、親指を置いて上筐体をスライド方向に押すための凹部が設けられており、凹部の底面に指紋センサが設けられていることを特徴としている。
【００１２】
下筐体のスライド時に露出する面には、キーを備えた操作部が設けられており、上筐体の常時露出している面には第１の表示部が、スライド時に露出する面には、第２の表示部が設けられていても良い。
【００１３】
また、この形態では、上筐体が下筐体に対して最大限にスライドする前に、指紋センサにより指紋認証が行われる。
【発明の効果】
【００１４】
本出願のスライド式携帯電話機によれば、スライド式携帯電話機において、内蔵したカメラによる自分撮りが簡単であり、指紋センサを内蔵するスライド式携帯電話機を延伸状態にしないでも指紋認証を行うことが可能であるスライド式携帯電話機を提供することが出来る。
【図面の簡単な説明】
【００１５】
【図１】図１Ａは本出願の第１の実施例のスライド式携帯電話機の閉じた状態の表側を示す斜視図、図１Ｂは図１Ａのスライド式携帯電話機をスライドさせた状態を示す斜視図、図１Ｃは図１Ｂの裏側を示す斜視図である。
【図２】図２Ａは本出願の第２の実施例のスライド式携帯電話機の閉じた状態の表側を示す正面図、図２Ｂは図２Ａのスライド式携帯電話機を半開させた状態を示す正面図、図２Ｃは図２Ａのスライド式携帯電話機を全開させた状態を示す正面図、図２Ｄは図２Ａに示した状態の側面図、図２Ｅは図２Ｂに示した状態の側面図、図２Ｆは図２Ｃに示した状態の側面図である。
【図３】図３Ａは本出願のスライド式携帯電話機に内蔵されるスライド機構とフレキシブル回路基板の位置を示す平面図、図３Ｂは本出願のスライド式携帯電話機に内蔵されるスライドレールの位置を示す図３ＡのＢ−Ｂ線における断面図、図３Ｃは本出願のスライド式携帯電話機に内蔵されるフレキシブル回路基板の位置を示す図３ＡのＣ−Ｃ線における断面図、図３Ｄは本出願のスライド式携帯電話機に内蔵されるスライドレールとフレキシブル回路基板の位置を示す図３ＡのＤ−Ｄ線における断面図である。
【図４】図４Ａは本出願の第１の実施例に使用されるスライドレールの構成を示す組み立て斜視図、図４Ｂは図４Ａに示したスライドレールの組み立て後の平面図、図４Ｃは図４Ｂに示した状態の側面図である。
【図５】図５Ａは本出願の第２の実施例に使用されるスライドレールの構成を示す組み立て斜視図、図５Ｂは図５Ａに示したスライド板が下カバーの端部にロックされている状態を示す説明図、図５Ｃは図５Ａに示したスライド板がスライド方向の向きを逆にして下カバーに挿入され、その端部にロックされている状態を示す説明図である。
【図６】図６Ａは図５Ｂに示した状態からスライド板が下カバーに対して相対的に移動したがロックはされない状態を示す説明図、図６Ｂは図６Ａに示した状態からスライド板が下カバーに対して相対的に更に移動して、下レールの中間部でロックはされた状態を示す説明図、図６Ｃは図６Ｂに示した状態を側面から見たものであり、スライドレールを内蔵する上カバ−と下カバーの関係を合わせて示す説明図である。
【図７】図７Ａは指紋センサを備える本出願の第３の実施例のスライド式携帯電話機の閉じた状態の表側を示す斜視図、図７Ｂは図７Ａのスライド式携帯電話機の指紋センサ部分に親指を当ててスライド式携帯電話機をスライドさせる状態を示す説明図、図７Ｃは図７Ｂに示したスライド式携帯電話機を全開させた状態を示す説明図である。
【図８】図８Ａは指紋センサを備える本出願の第３の実施例の変形例のスライド式携帯電話機の閉じた状態の表側を示す平面図、図８Ｂは図８ＡのＢ−Ｂ線における断面図、図８Ｃは図８Ｂの破線Ｃで示す部分の拡大図、図８Ｄは図８Ｂ，８Ｃに示した強化部材の下筐体への設置位置の一例を示す斜視図である。
【図９】図９Ａは指紋センサを備える本出願の第４の実施例のスライド式携帯電話機を開く状態を示す側面図、図９Ｂは図９Ａに示した第４の実施例のスライド式携帯電話機を全開させた状態の平面図である。
【図１０】図１０Ａは本出願の第４の実施例を示すスライド式携帯電話機の上筐体と下筐体のみの断面図、図１０Ｂは図１０Ａの一点鎖線Ｂで示す部分の拡大図、図１０Ｃは図１０Ａの一点鎖線Ｃで示す部分の拡大図、図１０Ｄは図１０Ａから図１０Ｃに示したフレキシブル回路基板挿通用の孔の位置を示すスライド式携帯電話機の幅方向の要部断面図である。
【図１１】図１１Ａは本出願の第４の実施例を示すスライド式携帯電話機の上筐体と下筐体とを接続するフレキシブル回路基板とそのシール部材を示す、閉じた状態のスライド式携帯電話機の長手方向の断面図、図１１Ｂは図１１Ａに示したスライド式携帯電話機の全開状態を示す断面図、図１１Ｃは図１１Ｂに示したスライド式携帯電話機の平面透視図である。
【図１２】図１２Ａは本出願の第５の実施例のスライド式携帯電話機の閉じた状態の概略斜視図、図１２Ｂは図１２Ａに示したスライド式携帯電話機の全開状態の概略斜視図、図１２Ｃは図１２Ａに示したスライド式携帯電話機の延長部の構成の一例を示す概略断面図、図１２Ｄは図１２Ａに示したスライド式携帯電話機の延長部の構成の別の例を示す概略断面図である。
【図１３】図１３Ａは本出願の第６の実施例のスライド式携帯電話機の閉じた状態の概略斜視図、図１３Ｂは図１３Ａに示したスライド式携帯電話機の全開状態の概略斜視図、図１３Ｃは図１３Ａに示したスライド式携帯電話機の延長部の構成の一例を示す概略断面図、図１３Ｄは図１３Ａに示したスライド式携帯電話機の延長部の構成の別の例を示す概略断面図である。
【発明を実施するための形態】
【００１６】
以下、添付図面を用いて本出願の実施の形態を、具体的な実施例に基づいて詳細に説明する。なお、同じ構成部品については同じ符号を付して説明する。
【００１７】
図１Ａは、本出願の第１の実施例のスライド式携帯電話機１の閉じた状態の表側を示すものである。この実施例のスライド式携帯電話機１は、上筐体２と下筐体３とを備えており、上筐体２が下筐体３に対してスライドするようになっている。上筐体２の表側の面には、第１の表示器であるメインディスプレイ４と、色々な機能を実行させるためのマルチファンクションキー６、および受話口（レシーバー）８が設けられている。
【００１８】
図１Ｂは、図１Ａのスライド式携帯電話機１を、上筐体２をスライドさせて開いた状態を示すものである。上筐体２が下筐体３に対してスライドすることによって現れる下筐体３の表側の面には、ダイアルキー等の操作キー７と送話口(マイクロフォン）９が設けられている。
【００１９】
図１Ｃは、図１Ｂに示したスライド式携帯電話機１の裏側を示すものである。上筐体２の裏側には、開いた時に現れる部分に第２の表示器であるサブディスプレイ５が設けられている。また、下筐体３の裏側には、下筐体３に内蔵されるカメラのレンズ１０と、アンテナ１１が設けられている。符号３Ｂは、下筐体３に内蔵されるバッテリの交換用の蓋を示しており、符号２０は上筐体２を下筐体３に対してスライドさせる時のスライドレール(詳細は後述)を示している。
【００２０】
以上のように構成された実施例のスライド式携帯電話機１では、カメラのレンズ１０が下筐体３の裏面に設けられているので、図１Ａに示した状態で、メインディスプレイ４がカメラの表示器となり、スライド式携帯電話機１をカメラとして使用することができる。また、開いた状態の上筐体２の裏面側にはサブディスプレイ５があるので、レンズ１０で捉えた画像をサブディスプレイ５に表示させれば、スライド式携帯電話機１を持つ自分の姿をサブディスプレイ５で確認しながら撮影することができる。
【００２１】
携帯電話機は多機能化し、個人データや金銭の出し入れ等を扱えるようになって今後ますます重要な役割を持つため、携帯電話機を他人が勝手に使用できないようにするセキュリティーが重要な役目を果たす。このセキュリティ機能の１つとして、携帯電話に指紋センサ部を設け、使用者本人を認証することが行われている。この指紋センサは携帯電話機の操作キーの有る面に設けられたり、電話機の筐体の側面に設けられたりしている。そして、スライド式携帯電話機にこの指紋センサが設けられている場合は、指紋センサを使用するためのスペース確保のための上筐体の下筐体に対するスライド量が、クリック感（軽くロックされた感覚）でわかる構造があることが望ましい。また、指紋センサを有効に活用するために、スライド式携帯電話機の伸縮時にチエックが行える構造があれば便利である。本出願では、スライド式携帯電話機に指紋センサを取り付ける場合に、この指紋センサを携帯電話機の操作キーの有る面に設ける場合と、電話機の筐体の側面に設ける場合について、その好ましい実施例を以下に説明する。
【００２２】
まず、指紋センサを携帯電話機の操作キーの有る面に設ける場合について説明する。図２Ａは本出願の第２の実施例のスライド式携帯電話機１の閉じた状態の表側を示すものである。第１の実施例のスライド式携帯電話機１と同様に、２は上筐体、４はメインディスプレイ、６はマルチファンクションキー、８はレシーバーを示している。また、図２Ａに示したスライド式携帯電話機１を側面から見た概略図を図２Ｄに示す。この実施例のスライド式携帯電話機１には、閉じた状態で上筐体２に隠れる下筐体３の部分に、指紋センサ１２が設けられている。
【００２３】
図２Ｂは図２Ａのスライド式携帯電話機１を半開させた状態（実際に半分開いた状態ではなく、全閉と全開の中間の状態で、長さＳだけ開けた状態）を示すものであり、図２Ｅは図２Ｂに示したスライド式携帯電話機１を側面から見た概略図である。また、図２Ｃは図２Ｂに示したスライド式携帯電話機１を全開させた状態（全開状態の長さをＬとする）を示すものであり、図２Ｆは図２Ｃに示したスライド式携帯電話機１を側面から見た概略図である。指紋センサ１２は下筐体３の下端部に設けられており、このためマイク９がセンタからオフセットされた位置に設けられている。指紋センサ１２は、指紋センサ１２の上で指先をスライドさせると指紋が検出されるようになっている。
【００２４】
この実施例では、上筐体２が下筐体３に対して長さＳだけ移動した状態で軽く係止されて止まるようになっている。言い換えれば、上筐体２はその移動の途中で簡易的にロックされるようになっている。このため、上筐体２を全開の長さＬだけ移動させることなく指紋センサ１２が現れた時点で上筐体２の移動を止めることができる。上筐体２がロックされるまでのスライド量は、指紋センサ１２と指の寸法関係で決まり、およそ指の第一関節までの長さである２５ｍｍ程度が好ましい。ちなみに、図２Ｃに示すような操作キー（テンキー）７が全て露出するまでに必要な上筐体２のスライド量は４０〜５０ｍｍ程度である。なお、指紋センサ１２が現れた状態で止める上筐体２のスライド量は、携帯電話の形状や部品の大きさ、或いは携帯電話の操作方法で変るため、限定されるものではない。
【００２５】
図３Ａは、本出願のスライド式携帯電話機１に内蔵されるスライド機構であるスライドレール２０とフレキシブル回路基板１７の位置を示すものである。スライドレール２０はレール部２７とこのレール部２７を移動するスライダ２３とから構成されており、スライドモジュールとも呼ばれる。スライドレール２０は１つのスライド式携帯電話機に、通常２組使用され、２組のスライドレール２０は平行に配置される。図３Ｂと図３Ｄに示すように、スライドレール２０はそのレール部２７が上筐体２に取り付けられ、スライダ２３のスライド板２８がシャフト２４とねじ２６で下筐体３に取り付けられている。
【００２６】
また、本出願のスライド式携帯電話機１は、下筐体３に対して上筐体２が移動するので、上筐体２に内蔵される回路基板と下筐体３に内蔵される回路基板とを接続するフレキシブル回路基板１７が必要であり、このフレキシブル回路基板１７は、図３Ａ，図３Ｃに示すように、両端部がそれぞれコネクタ１４，１６に接続されており、その中間部が上筐体２の移動によって変形するように構成されている。このフレキシブル回路基板１７の上筐体２と下筐体３への接続については後に詳しく説明する。
【００２７】
図４Ａは、図１Ａから図１Ｃに示した本出願の第１の実施例に使用されるスライドレール２０とスライダ２３の構成を分解して示すものであり、図４Ｂと図４Ｃは組み立て後の状態を示すものである。スライドレール２０はレール部２７とスライダ２３とから構成されている。レール部２７は細長い形状の上カバー２１と下カバー２２が重ね合わされて形成される。また、スライダ２３は、スライド板２８、２つのシャフト２４、板ばね２５、およびねじ２６を備えて構成される。
【００２８】
スライドレール２０の上カバー２１には、対向する長辺と一方の側の短辺が下カバー２２側に折り曲げられて壁部が形成されており、天井板の部分にはスライダ２３の走行ガイドとなるスリット２１Ａが設けられている。また、天井板の一方の端部には取付突起が形成されている。一方、下カバー２２にも、対向する長辺と一方の側の短辺が上カバー２１側に折り曲げられて壁部が形成されている。上カバー２１と下カバー２２が重ね合わされた時に、この壁部によって確保される空間が前述のスライダ２３の走行路となる。下カバー２２の底面は平坦であるが、その両端部にロック突起２２Ａが形成されている。このロック突起２２Ａは対向する側がテーパ面となっている。また、下カバー２２の一方の端部には取付孔２２Ｃが形成されている。上カバー２１の取付突起２１Ｃと下カバーの取付孔２２Ｃとは反対側にある。
【００２９】
スライダ２３は、レール部２７内を走行するスライド板２３、スライド板２３の上に突設された２つのシャフト２４、貫通孔２５Ａがシャフト２４に挿通されてスライド板２３の上に載置される板ばね２５、およびシャフト２４のねじ穴２４Ａに螺着されるねじ２６とを備えて構成される。また、スライド板２３のスライド方向の前後端には下カバー２２に形成されたロック突起２２Ａに係合するロック部２８Ａが設けられている。スライダ２３は、上カバー２１と下カバー２２が重ね合わされる前に下カバー２２の上に載置され、シャフト２４がスリット２１Ａに挿通された後に、上カバー２１と下カバー２２が重ね合わされて結合され、図４Ｂ、図４Ｃに示す状態となる。上カバー２１と下カバー２２の間に形成される空間に挿入されたスライド板２８は、板ばね２５の付勢力によって下カバー２２に付勢されているので、外力が加わらなければレール部２７内を移動しない。
【００３０】
本出願のスライド式携帯電話機１では、スライドレール２０が上筐体２に固着され、スライダ２３がねじ２６によって下筐体３に固着される。図１Ｃに示したスライドレール２０は、実際には下レール２２の底面が示されている。従って、本出願のスライド式携帯電話機１では、固定されたスライダ２３に対して、スライドレール２０がスライドする。
【００３１】
図５Ａは、図２Ａから図２Ｆに示した本出願の第２の実施例に使用されるスライドレール２０とスライダ２３の構成を分解して示すものである。第２の実施例に使用されるスライドレール２０が、第１の実施例に使用されるスライドレール２０と異なる点は、下カバー２２の形状とスライド板２８の形状のみである。よって、同じ構成部材には同じ符号を付してその説明を省略し、異なる部分のみを説明する。
【００３２】
スライドレール２０の下カバー２２には、平坦な底面の両端部にロック突起２２Ａが形成されている他に、下カバー２２の中間部に中間ロック突起２２Ｂが形成されている。この中間ロック突起２２Ｂは、下カバー２２の両端部近傍のみに設けられており、その間の部分は平坦なままである。即ち、下カバー２２の中間部の両側にある中間ロック突起２２Ｂは、それぞれ２つの幅の狭い楔状の部材が僅かなギャップを隔てて対向して配置されたものである。
【００３３】
一方、スライダ２３のスライド板２３には、そのスライド方向の前後端の一方には図４Ａで説明したロック部２８Ａが設けられているが、他方にはロック部２８Ａの両側が削り取られて幅の狭くなった幅狭ロック部２８Ｂが設けられている。この幅狭ロック部２８Ｂの幅は、下カバー２２の両側に設けられた中間ロック突起２２Ｂの間の距離よりも狭く、幅狭ロック部２８Ｂはスライダ２３のスライド時に中間ロック突起２２Ｂには係合しないようになっている。幅狭ロック部２８Ｂは下カバー２２に形成されたロック突起２２Ａには係合する。なお、ロック部２８Ａおよび幅狭ロック部２８Ｂの形状は、テーパ面を有する楔状でなくても良く、図５Ｂ、図５Ｃに示すように、湾曲面を有する突起でも良い。また、この中間ロック位置は、中間ロック突起２２Ｂの間のギャップの位置となるが、この位置では、スライド板２８のロック部２８Ａの突起寸法の大小でロック時の遊び有無を調整することができる。更に、下カバー２２の中間部には突起の代わりに凹部を設けることも可能である。
【００３４】
前述のスライダ２３は、図５Ｂに示すように、ロック部２８Ａが取付孔２２Ｃ側になるように下カバー２２に取り付けられても良く、また、図５Ｃに示すように、幅狭ロック部２８Ｂが取付孔２２Ｃ側になるように下カバー２２に取り付けられても良い。下カバー２２がスライド式携帯電話機１の上筐体２に固定される場合は、ロック部２８Ａが取付孔２２Ｃ側になるように下カバー２２に取り付けられると、上筐体２をスライドさせた時の中間ロックまでのスライド長さが長くなる。また、幅狭ロック部２８Ｂが取付孔２２Ｃ側になるように下カバー２２に取り付けられると、上筐体２をスライドさせた時の中間ロックまでのスライド長さが短くなる。これを図６Ａから図６Ｃを用いて説明する。
【００３５】
下カバー２２がスライド式携帯電話機１の上筐体２に固定される場合、図５Ａに示したようにロック部２８Ａが取付孔２２Ｃ側になるように下カバー２２に取り付けられる。この場合は、図６Ａに白抜き矢印で示すように、上筐体が下筐体に対して伸張されると、幅狭ロック部２８Ｂは中間ロック突起２２Ｂには係合しないようになっているので、上筐体は下筐体に対してロックされない。更に上筐体が下筐体に対して伸張されると、図６Ｂ、図６Ｃに示すようにロック部２８Ａが中間ロック突起２２Ｂに係合し、上筐体２のスライドが軽くロックされる。このとき、クリック感とクリック音が発生するので、この状態で上筐体２のスライドをやめれば、上筐体２は下筐体３に対して半開きの状態で止まる。
【００３６】
一方、下カバー２２がスライド式携帯電話機１の上筐体２に固定する場合、図５Ｂに示すようにロック部２８Ａが取付孔２２Ｃ側になるように下カバー２２に取り付けられる。この場合は、図６Ａの状態でロック部２８Ａが中間ロック突起２２Ｂに係合し、上筐体２のスライドが軽くロックされるので、この状態で上筐体２のスライドをやめれば、上筐体２は下筐体３に対してより短い長さスライドさせた状態で半開きの状態で止まる。
【００３７】
以上説明したように、図５Ａから図６Ｃで説明したスライドレール２０の構造では、スライド式携帯電話機１の上筐体２が下筐体３に対して、最小収縮状態、最大伸張状態、および中間状態の３箇所でロックがかかるようになっている。中間状態の上筐体２の下筐体３に対するスライド量は、図２Ｂや図２Ｃに示した指紋センサ１２と指の寸法関係で決まるが、およそ指の第１間接までの長さである約２５ｍｍにしておけば良い。なお、この中間状態における上筐体２の下筐体３に対するスライド量は、製品の仕様によって異なるものであり、２５ｍｍに限定されるものではない。
【００３８】
次に、指紋センサを携帯電話機の筐体の側面に設ける場合について説明する。図７Ａは指紋センサ１２を備える本出願の第３の実施例のスライド式携帯電話機１の構成を示すものである。第２の実施例のスライド式携帯電話機１では、指紋センサ１２が下筐体３の下端部に設けられていたが、第３の実施例のスライド式携帯電話機１では、指紋センサ１２が上筐体２のメインディスプレイ４の下端部近傍の側面に設けられている点が異なる。第３の実施例の指紋センサ１２は、第２の実施例の指紋センサ１２のように、指紋センサ１２の上で指先をスライドさせると指紋が検出されるタイプではなく、指紋センサ１２の上に指を押し当てると指紋を検出するタイプである。
【００３９】
第３の実施例のスライド式携帯電話機１では、上筐体２を下筐体３に対してスライドさせて電話機を開く場合に、指紋センサ１２の部分に図７Ｂに示すように親指が当てられ、この状態で親指で上筐体２が押される。すると、上筐体２は、指紋センサ１２で親指の指紋を検出しながら下筐体３に対してスライドし、図７Ｃに示すように親指の操作だけで上筐体２を全開状態までスライドさせることができる。
【００４０】
第３の実施例では、指紋センサ１２の部分を指掛け部としてここに指を置き、スライド式携帯電話機１の上筐体２を下筐体３に対してスライドさせることにより、操作するたびにスライド式携帯電話機１の操作者の指紋の認証を行うことができるので、悪意のある第３者にスライド式携帯電話１を悪用される虞がなくなる。
【００４１】
図８Ａは指紋センサ１２を備える本出願の第３の実施例の変形例のスライド式携帯電話機１の閉じた状態の表側を示すものである。この変形例に示すように、指紋センサ１２は、上筐体２の側面に、図７Ａに示したような斜めではなく、マルチファンクションキー６がある面に対して直角の方向に設けることができる。なお、第３の実施例、或いはその変形例のように、指紋センサ１２が上筐体２の側面に設けられていて、この指紋センサ１２に指を掛けて上筐体２を開く場合は、図８Ａに示すように、指紋センサ１２に対して指で斜め方向の力Ｆが加えられることになる。この斜め方向の力Ｆは、上筐体２をスライドさせる方向の力Ｆ１と、スライド式携帯電話機１の横方向に加わる力Ｆ２に分解される。
【００４２】
このように、上筐体２を下筐体３に対してスライドさせてスライド式携帯電話機１を開ける構造のスライド式携帯電話１では、携帯電話機１の横方向のスラスト力が上筐体２に印加される。この横方向のスラスト力により、スライド式携帯電話機１のスライドレール２０には側面からの負荷が印加され、スライドレール２０が捩れる場合がある。そこで、本出願では、図８Ｂおよびその拡大図である図８Ｃに示すように、符号Ｆ２で示す横方向の負荷に対して、摩擦係数の低いスライドアシスト部材３３が設けられる。スライドアシスト部材３３には、例えば、ポリアセタール材（ＰＯＭ材）を使用することができる。
【００４３】
このスライドアシスト部材３３は断面がＬ字状であり、上筐体２と下筐体３の接合面の端部にある側壁３１とこれに対向する上筐体２の部位に設けることができる。このスライドアシスト部材３３は、負荷Ｆ２を受けてもこれを支え、スライドレール２０の動作をスムーズにする。このスライドアシスト部材３３は、図８Ｄに示すように、下筐体３の側壁３１に４箇所程度設けることができる。なお、前述の負荷Ｆ２を受けない側の側壁３１に設けるスライドアシスト部材３３には、凹部３０に平行な部分のみを設けるだけで良く、凹部３０に垂直な部分を省略することができる。
【００４４】
図９Ａと図９Ｂは指紋センサ１２を備える本出願の第４の実施例のスライド式携帯電話機１を示すものである。図９Ａはスライド式携帯電話機１を開く状態を示すものであり、図９Ｂは図９Ａに示したスライド式携帯電話機１を全開させた状態を示している。この実施例では、上筐体２のメインディスプレイ４とマルチファンクションキー６の間の領域に凹部１８が設けられ、この凹部１８の底部に指紋センサ１２が設置されている。
【００４５】
この構成にすれば、図９Ａに示すように、凹部１８に指を置いて上筐体２を押して開ける時に、凹部１８の底面に設けた指紋センサ１２で操作者の指紋の認証を行うことができる。指紋センサ１２による指紋の認証は、操作者が凹部１８に指を置いて上筐体２を図９Ｂに示す全開状態にするまでの間に行うことができる。
【００４６】
図１０Ａは本出願の第４の実施例を示すスライド式携帯電話機１の上筐体２と下筐体３のみの断面を示すものである。前述のように、これまでのスライド式携帯電話機１は、上下筐体のスライド面、特に上下筐体を接続するフレキシブル回路基板の防滴構造はなかった。そこで、この実施例では上筐体２に、スライド面から窪んだフレキシブル回路基板格納部４２が設けられ、このフレキシブル回路基板格納部４２のスライドする方向にある面にフレキシブル回路基板を挿通するスリット４４が設けられる。同様に、下筐体３にはスライド面から窪んだフレキシブル回路基板格納部４３が設けられ、このフレキシブル回路基板格納部４３のスライドする方向にある面にフレキシブル回路基板を挿通するスリット４６が設けられる。
【００４７】
図１０Ｂと図１０Ｃは、スリット４４、４６の部分を拡大し、この部分に嵌め込まれるシール部材３４、３６の形状を示すものである。また、図１０Ｄはフレキシブル回路基板格納部４２、４３の幅、およびスリット４４、４６の形状を、上筐体２と下筐体３に内蔵される回路基板１３、１５と共に示すものである。スリット４４、４６にはシール部材（ガスケット）３４、３６を嵌め込むための凹部４５、４７が設けられている。シール部材３４、３６は、スリット４４、４６の両側に設けられた凹部４５、４７に嵌め込まれる構造になっているので、シール部材３４、３６の位置決めや取り付けが容易であるとともに、防適性が良い。
【００４８】
スリット４４、４６の大きさは、フレキシブル回路基板の幅と厚さにより決めることができる。また、スリット４４、４６に嵌め込まれるシール部材３４、３６の幅はフレキシブル回路基板１７の幅よりも大きく、シール部材３４、３６にはフレキシブル回路基板１７を挿通するための貫通孔３４Ａ、３６Ａが設けられている。貫通孔３４Ａ、３６Ａはフレキシブル回路基板１７を水密の状態で挿通することができる程度の大きさを備えており、フレキシブル回路基板１７はシール部材３４、３６に挿通されると、フレキシブル回路基板１７の周囲がシール部材３４、３６で覆われるようになっている。但し、フレキシブル回路基板１７を伝わる水を遮断する場合は、フレキシブル回路基板１７の幅と同じシール部材でフレキシブル回路基板１７の上下を挟む構造でも良く、また挟む部分にラビリンス構造を採用することもできる。本出願に使用するシール部材の構造は、この実施例に限定されるものではない。
【００４９】
図１１Ａ、１１Ｂは本出願の第４の実施例を示すスライド式携帯電話機１を示すものである。上筐体２と下筐体３には回路基板１３、１５が内蔵されており、回路基板１３、１５に設けられたコネクタ１４、１６がフレキシブル回路基板１７で接続される。フレキシブル回路基板１７は、図１０Ａに示したスリット４４、４６に挿通され、スリット４４、４６は上下筐体２、３内に液体が侵入しないようにシール部材３４、３６でシールされる。図１１Ａが上筐体２と下筐体３が閉じた状態であり、図１１Ｂが上筐体２と下筐体３が全開した状態を示すものである。また、図１１Ｃは全開状態の携帯電話機１を上から見たものである。
【００５０】
上筐体２と下筐体３が閉じた状態では、フレキシブル回路基板１７はシール部材３４の外でＵ字状に折り返され、フレキシブル回路基板格納部４３を通ってシール部材３６に至る。図１１Ａの状態から上筐体２が下筐体３に対してスライドすると、フレキシブル回路基板１７のフレキシブル回路基板格納部４３の中にある部分が次第にフレキシブル回路基板格納部４２に移ってゆく。コネクタ１４とシール部材３４の間のフレキシブル回路基板１７と、コネクタ１６とシール部材３６の間のフレキシブル回路基板１７は、上筐体２が下筐体３に対してスライドしても変化しない。
【００５１】
このように、本出願のスライド式携帯電話機１では、上筐体２と下筐体３のスライド面に設けられたフレキシブル回路基板格納部４２、４３の端部にあるスリット４４、４６の部分のみで上筐体２と下筐体３の部分に通じている。スリット４４、４６の部分は防滴シール部材３４、３６でシールされているので、水滴が上筐体２と下筐体３の内部に侵入しない。
【００５２】
なお、以上説明した実施例では、スライドレール２０が携帯電話機１の上筐体２と下筐体３の合わせ面に設けられていた。しかし、スライドレール２０は、図１２Ａと図１２Ｂに示したように、上筐体２の側面を下筐体３側に延長して設けた延長部２Ｅにスライドレール２０のスライダ２３を内蔵させ、スライドレール２０のレール部２７を下筐体３の側面に内蔵させることができる。この場合の延長部２Ｅの構造は図１２Ｃや図１２Ｄに示すように形成することができる。
【００５３】
更に、スライドレール２０は、図１３Ａと図１３Ｂに示すように、下筐体３の側面を上筐体２側に延長して設けた延長部３Ｅにスライドレール２０のスライダ２３を内蔵させ、スライドレール２０のレール部２７を上筐体２の側面に内蔵させることができる。この場合の延長部３Ｅの構造は図１３Ｃや図１３Ｄに示すように形成することができる。
【００５４】
以上、本出願を特にその好ましい実施の形態を参照して詳細に説明した。本出願の容易な理解のために、本出願の具体的な形態を以下に付記する。
【００５５】
（付記１）  上筐体と下筐体とがスライドレールを介して重ね合わされ、前記上筐体と下筐体とをスライドさせると重ね合わせ面が次第に露出する構造のスライド式携帯電話機において、
前記上筐体と下筐体との重ね合わせ面に、前記上筐体にはその中央部からスライド方向の反対側に所定長さだけ、前記下筐体にはその中央部から前記上筐体がスライドする方向に所定長さだけ、前記上筐体と下筐体とを接続するフレキシブルケーブルを収納するための凹部が設けられており、
前記凹部の前記上筐体のスライド方向の前端部には、前記フレキシブルケーブルを挿通するための貫通孔が設けられており、
前記貫通孔は、前記上筐体と下筐体の内部で、前記フレキシブルケーブルが挿通された状態で、それぞれシール部材によって水密にシールされていることを特徴とするスライド式携帯電話機。
（付記２）  付記１に記載のスライド式携帯電話機であって、
前記下筐体のスライド時に露出する面には、キーを備えた操作部が設けられており、
前記上筐体の常時露出している面には第１の表示部が、スライド時に露出する面には、第２の表示部が設けられていることを特徴とするスライド式携帯電話機。
（付記３）  上筐体と下筐体とがスライドレールを介して重ね合わされ、前記上筐体と下筐体とをスライドさせると重ね合わせ面が次第に露出する構造のスライド式携帯電話機において、
前記上筐体と下筐体の重ね合わせ面のスライド方向の両側に、前記スライド方向に延伸された側壁とこの側壁に対応する溝部とが設けられており、
前記側壁または溝部の何れか一方の要部に、前記スライド方向に直交する方向の力を受けると共に、前記スライド方向の摩擦による磨耗を削減するための低摩擦材からなる強化部材が設けられていることを特徴とするスライド式携帯電話機。
（付記４）  付記３に記載のスライド式携帯電話機であって、
前記下筐体のスライド時に露出する面には、キーを備えた操作部が設けられており、
前記上筐体の常時露出している面には第１の表示部が、スライド時に露出する面には、第２の表示部が設けられていることを特徴とするスライド式携帯電話機。
（付記５）  上筐体と下筐体とがスライドレールを介して重ね合わされ、前記上筐体と下筐体とをスライドさせると重ね合わせ面が次第に露出する構造のスライド式携帯電話機において、
前記スライドレールの両端部とその中間部にロック機構が設けられており、
前記上筐体がスライドして前記中間部でロックされた時に、前記下筐体の露出する部分に、指紋センサが設けられていることを特徴とするスライド式携帯電話機。
【００５６】
（付記６）  付記５に記載のスライド式携帯電話機であって、
前記下筐体のスライド時に露出する面には、キーを備えた操作部が設けられており、
前記上筐体の常時露出している面には第１の表示部が、スライド時に露出する面には、第２の表示部が設けられていることを特徴とするスライド式携帯電話機。
（付記７）  付記５に記載のスライド式携帯電話機であって、
前記上筐体と下筐体とが、スライドレール、このスライドレールに沿って移動するスライド部材、および前記スライド部材を前記スライドレールに付勢するスライドばねとを備えたスライドモジュールによって結合されており、
前記ロック機構が、前記スライドレールの中央部近傍設けられた中間ロック突起と、前記スライドばねの一部設けられて前記中間ロック突起に係合する係合部とを備え、
前記上筐体が前記下筐体に対して最大限スライドするまでの間に、前記中間ロック突起は、前記スライドばねの一部と一度だけ係合するように構成されていることを特徴とするスライド式携帯電話機。
（付記８）  付記７に記載のスライド式携帯電話機であって、
前記スライドレールには更に、前記上筐体と下筐体とが最大限スライドしたオープン状態を保持するオープンロック突起と、前記上筐体と下筐体とが閉じた状態を保持するクローズロック突起とが設けられており、
前記中間ロック突起は前記スライドレールの幅方向の両側部に、その間にロック溝が形成されるように２個ずつ並んで設けられており、
前記スライドばねのスライド方向の前端部には前記ロック溝と前記オープンロック突起に係合する幅の第１の係合部が設けられ、
前記スライドばねのスライド方向の後端部には、前記クローズロック突起のみに係合する幅の第２の係合部が設けられていることを特徴とするスライド式携帯電話機。
（付記９）  上筐体と下筐体とがスライドレールを介して重ね合わされ、前記上筐体と下筐体とをスライドさせると重ね合わせ面が次第に露出する構造のスライド式携帯電話機において、
前記上筐体のスライド方向の下端部に、親指を置いて前記上筐体をスライド方向に押すための凹部が設けられており、
前記凹部の底面に指紋センサが設けられていることを特徴とするスライド式携帯電話機。
（付記１０）  付記９に記載のスライド式携帯電話機であって、
前記下筐体のスライド時に露出する面には、キーを備えた操作部が設けられており、
前記上筐体の常時露出している面には第１の表示部が、スライド時に露出する面には、第２の表示部が設けられていることを特徴とするスライド式携帯電話機。
【００５７】
（付記１１）  付記９に記載のスライド式携帯電話機であって、
前記上筐体が前記下筐体に対して最大限にスライドする前に、前記指紋センサにより指紋認証が行われることを特徴とするスライド式携帯電話機。
【符号の説明】
【００５８】
１    スライド式携帯電話
２    上筐体
３    下筐体
４    第１の表示器
５    第２の表示器
６    マルチファンクションキー
７    操作キー
８    レシーバ
９    マイク
１０    カメラレンズ
１８    凹部
２０    スライドレール
２１    上カバー
２２    下カバー
２３    スライダ
２４    シャフト
２５    板ばね
２７    レール部
２８    スライド板
【図１】
2010246148.tif 000003
【図２】
2010246148.tif 000004
【図３】
2010246148.tif 000005
【図４】
2010246148.tif 000006
【図５】
2010246148.tif 000007
【図６】
2010246148.tif 000008
【図７】
2010246148.tif 000009
【図８】
2010246148.tif 000010
【図９】
2010246148.tif 000011
【図１０】
2010246148.tif 000012
【図１１】
2010246148.tif 000013
【図１２】
2010246148.tif 000014
【図１３】
2010246148.tif 000015